(57)【要約】【課題】袋、額縁に収容された押し花、写真等は、差し替えができない。所望する押し花、写真等の変更が困難視されること、押し花の変色化、褪色化等にも替えが困難視されること、見苦しいこと、部屋の美観を損ねること、等の問題がある。ガラス板を含めて密封する構成では、何層ともなるので、全体の厚みが大きくなり、通常の額縁では、スムーズな収容が困難である。【構成】覆い部を備えたビニール薄板と、ビニール薄板に添接する押し花用の保護シートを一面に設けた窓孔を備えた台紙と、台紙の他面に設けた乾燥シート用の保護シートと、シートを設け、ビニール薄板とシートとをシール材で密着一体化して袋部とし、袋部に押し花、写真及び乾燥シートを内蔵して密封体を構成し、密封体を、額縁本体に設けた透明ガラス板と裏板との間に設けた額縁である。密封体の厚みは、ビニール薄板と、各シート、及び押し花、乾燥シート、写真でなり、全体の厚みを薄くできること、通常の額縁にも、スムーズな収容が図れる。額縁より膨れ上がる状態を回避できる。密封体は、額縁とは、別個に、販売、取替え可能となる。【選択図】    図２１
2004242689.tif 000002
【特許請求の範囲】
【請求項１】
覆い部を備えたビニール薄板と、シートとをシール材で密着一体化して形成した袋部に、少なくとも一面に押し花を設けた保護シートを有し、透視物を確認できる窓孔を備えた台紙と、この台紙の裏面に設けた写真と、前記台紙に設けた乾燥シートとを挿入して密封体を構成し、この密封体を、額縁本体に設けたガラス板と裏板との間に設け、このガラス板の後側に前記ビニール薄板が、また前記シートの後側に前記裏板が、それぞれ設けられる構成とした額縁。
【請求項２】
覆い部を備えたビニール薄板と、シートとをシール材で密着一体化して形成した袋部に、少なくとも一面に設けた保護シートを有し、透視物を確認できる窓孔を備えた台紙と、この台紙と前記保護シートで構成した押し花用の収容部と、この台紙の裏面に設けた写真と、前記台紙に設けた乾燥シートとを挿入して密封体を構成し、この密封体を、額縁本体に設けたガラス板と裏板との間に設け、このガラス板の後側に前記ビニール薄板が、また前記シートの後側に前記裏板が、それぞれ設けられる構成とした額縁。
【請求項３】
覆い部を備えたビニール薄板と、シートとをシール材で密着一体化して形成した袋部に、少なくとも一面に押し花を設けた保護シートを有し、透視物を確認できる窓孔を備えた台紙と、この台紙の裏面に設けた写真と、前記台紙に設けた乾燥シートとを挿入して構成した密封体。
【請求項４】
覆い部を備えたビニール薄板と、一面に押し花用の保護シートを、他面に乾燥シート用の保護シートをそれぞれ設けた窓孔を備えた台紙と、シートとをシール材で密着一体化して袋部とし、この袋部に押し花、写真及び乾燥シートを収容して密封体を構成し、前記台紙と押し花用の保護シートとの間に設けた収容部と、この台紙と乾燥シート用の保護シートとの間に設けた収容部と、前記台紙とシートとの間に設けた写真収容部とで構成した額縁に使用する押し花・写真内蔵の密封体。
【請求項５】
請求項３又は請求項４の覆い部に、貼着部を設ける構成とした額縁に使用する押し花・写真内蔵の密封体。
【発明の詳細な説明】
【０００１】
【産業上の利用分野】
本発明は、額縁と、この額縁に使用する押し花・写真内蔵の密封体に関する。
【０００２】
【従来の技術】
本発明が意図する「額縁と、この額縁に使用する押し花・写真内蔵の密封体」に関し、次のような各種文献が挙げられるので、以下、先行文献として説明する。
【０００３】
●文献１として、特開平８−１６５２０２号の「押花装飾体」がある。その内容は、窓孔を開設した前面部と後面部とで袋を、ガスバリア性に優れたフィルムで一体成形し、その一部に開口部を形成し、この袋の前面部に窓孔を閉鎖する透明プレートを張装した袋体と、この袋体の後方に配した台紙と、この袋体と台紙との間に設けた乾燥押花と、乾燥剤とで袋を形成し、この袋を開口部からの吸引を介して密封し、額縁に収納する構成であり、押し花を変色、褪色することなく、真空状態で収容し、絵画等と同様の装飾物として額縁に、真空状態で収容して飾ることができる特徴がある。
【０００４】
●文献２として、特開平８−８０２３６号の「額」がある。その内容は、額縁に嵌合される透明板と、この透明板に周辺幅狭の押し花を設けた台紙と、その裏面側には乾燥剤シートを配し、かつ透明板、台紙及び押し花を防湿フィルムで密封した作品ユニットを構成し、この作品ユニットを額縁に隙間なく配置し、当該作品ユニットの端を額縁から露出しないようにした構成であり、耐候性の悪い作品を、長期間品質を低下させない状態で飾ることができる特徴がある。
【０００５】
●文献３として、実用新案登録第３０７０７１４号の「額用前面板」がある。その内容は、透明ガラス板板と透明塩化ビニール薄板との間の辺縁部に、窓穴を有する台紙を介在し、この台紙の上に押し花及び乾燥剤を設け、当該ガラス板と透明塩化ビニール薄板、及び台紙、押し花及び乾燥剤を密封固定した構成であり、薄く、強度に優れ、かつクリアー性を確保しつつ、高級感、写真等の掲示物の差し替えに何ら支障のない装飾用の押し花を有する額用前面板の提供を意図する。
【０００６】
●文献４として、実用新案登録第３００２３５０号の「写真入れ用額縁」がある。その内容は、額縁本体に、前面から順次ガラス板、窓孔付き台紙、写真紙、押さえ台紙とを設け、この四者の全周辺を、接着フィルムを熱圧着して密封体を形成し、この密封体の前面に各種類の天然押し花を積層し、その全体表面に透明樹脂保護層を被着重合した構成であり、  この写真紙の外周に、写真紙の縁取り装飾として役立つ天然押し花を、窓孔付き台紙の表面にし、この写真紙と額縁との装飾価値を高めた写真入れ用額縁の提供を意図する。
【０００７】
【発明が解決しようとする課題】
以上の文献１〜４においては、密封袋体（袋又は額縁）に収容された押し花、写真等は、原則として差し替えができない。従って、所望する押し花、写真等の変更が困難視されること、又は押し花の変色化、褪色化等による見苦しい状況の場合においても、差し替えが困難視されることから、そのまま放置されることは、見苦しいこと、部屋の美観を損ねること、等の問題がある。そして、文献３の如く、ガラス板を含めて密封する構成では、何層ともなるので、全体の厚みが大きくなり、通常の額縁では、スムーズな収容が困難であり、殊に額縁より膨れ上がった際には、収容が困難であり、また収容しても外れる等の弊害がある。尚、文献１〜４においては、額縁とのセットとして販売される構成である。従って、例えば、額縁メーカとの競業によるトラブル、又は同時販売に限られる等の改良点が挙げられる。
【０００８】
【課題を解決するための手段】
請求項１の発明は、覆い部を備えたビニール薄板と、台紙の厚みに、シート、写真等による厚みとで、全体の厚みを確保した密封体として、その厚みを薄く構成すること、この厚みの薄さを利用し、通常の厚み（前後の厚み）の額縁にも、スムーズな収容と、額縁より裏板が膨れ上がる状態を回避することを意図する。またこの密封体は、額縁とは、別個に、販売、取替え可能な構成とした、額縁メーカとの競業によるトラブル、又は同時販売に限られる等の問題点の解消を意図する。さらにビニール薄板をガラスに密着できるので、ビニール薄板の通気性を遮断して、密封体の密度の向上に寄与することを意図する。
【０００９】
請求項１は、覆い部を備えたビニール薄板と、シートとをシール材で密着一体化して形成した袋部に、少なくとも一面に押し花を設けた保護シートを有し、透視物を確認できる窓孔を備えた台紙と、この台紙の裏面に設けた写真と、前記台紙に設けた乾燥シートとを挿入して密封体を構成し、この密封体を、額縁本体に設けたガラス板と裏板との間に設け、このガラス板の後側に前記ビニール薄板が、また前記シートの後側に前記裏板が、それぞれ設けられる構成とした額縁である。
【００１０】
請求項２の発明は、請求項１の目的を達成しつつ、他の取扱いが可能な額縁を提供して、多様な用途、目的、又は使用価値の向上等を意図する。
【００１１】
請求項２は、覆い部を備えたビニール薄板と、シートとをシール材で密着一体化して形成した袋部に、少なくとも一面に設けた保護シートを有し、透視物を確認できる窓孔を備えた台紙と、この台紙と前記保護シートで構成した押し花用の収容部と、この台紙の裏面に設けた写真と、前記台紙に設けた乾燥シートとを挿入して密封体を構成し、この密封体を、額縁本体に設けたガラス板と裏板との間に設け、このガラス板の後側に前記ビニール薄板が、また前記シートの後側に前記裏板が、それぞれ設けられる構成とした額縁である。
【００１２】
請求項３の発明は、密封体に、押し花、写真、絵等を、出入れ（収容又は取出し）可能とした構成を採用することで、この押し花、写真等の差し替えが容易にできること、この差し替えで、所望する押し花、写真等に変更、又は押し花、写真等の変色化、褪色化等による見苦しい状況、及びこの状況を回避して、部屋の美観を確保すること、等を意図する。また本発明は、透明のビニール薄板と台紙の厚みに、シート、写真等によって全体の厚みを確保することで、その厚みを薄く構成すること、この厚みの薄さを利用し、通常の厚み（前後の厚み）の額縁にも、スムーズな収容と、額縁より裏板が膨れ上がる状態を回避すること、等を意図する。またこの密封体は、額縁とは、別個に、販売、取替え可能な構成である。従って、額縁メーカとの競業によるトラブル、又は同時販売に限られる等の問題解消を意図する。
【００１３】
請求項３は、覆い部を備えたビニール薄板と、シートとをシール材で密着一体化して形成した袋部に、少なくとも一面に押し花を設けた保護シートを有し、透視物を確認できる窓孔を備えた台紙と、この台紙の裏面に設けた写真と、前記台紙に設けた乾燥シートとを挿入して構成した密封体である。
【００１４】
請求項４の発明は、請求項３の目的を達成しつつ、他の取扱いが可能な額縁を提供して、多様な用途、目的、又は使用価値の向上等を意図する。
【００１５】
請求項４は、覆い部を備えたビニール薄板と、一面に押し花用の保護シートを、他面に乾燥シート用の保護シートをそれぞれ設けた窓孔を備えた台紙と、シートとをシール材で密着一体化して袋部とし、この袋部に押し花、写真及び乾燥シートを収容して密封体を構成し、前記台紙と押し花用の保護シートとの間に設けた収容部と、この台紙と乾燥シート用の保護シートとの間に設けた収容部と、前記台紙とシートとの間に設けた写真収容部とで構成した額縁に使用する押し花・写真内蔵の密封体である。
【００１６】
請求項５の発明は、覆い部を確実に貼り付け、又は貼り付け解除を図ること、又は密封体の密封効果を達成すること、等を意図する。
【００１７】
請求項５は、請求項３又は請求項４の覆い部に、貼着部を設ける構成とした額縁に使用する押し花・写真内蔵の密封体である。
【００１８】
【発明の実施の形態】
以下、本発明の好ましい一例「実施例」を、図１〜図２１の一例と、図２２〜図４２の一例について、個別に図面を参照して説明する。
【００１９】
先ず、図１〜図２１の例について説明する。
【００２０】
図１は要部の部材を分解して示した図であり、覆い部１００を備えた透明、半透明等のビニール薄板１（例えば、塩化ビニール薄板の略０．３〜０．５ｍｍ程度とする。このビニール薄板１の覆い部１００は折曲げ可能とする。以下、ビニール薄板１とする）と、シート２（例えば、アルミシートであり、袋部の気密性の確保を意図して気密性シート２が理想である。以下、シート２とする）と、この両者「ビニール薄板１とシート２とを云う」の周辺の一部を残して一体化（貼着）するシール材３（例えば、アルミテープであり、袋部の気密性の確保を意図して気密性シール材３が理想である。以下、シール材３とする）とをそれぞれ示している。尚、ビニール薄板１の覆い部１００は、面ファスナーにより開閉することも可能である。
【００２１】
図２〜図５は、前記ビニール薄板１とシート２の周辺の一部を残してこの両者の周辺縁を、シール材３で密封し、袋部４を形成する。そして、この袋部４の一辺（一例では、上方である）に開口４００を形成し、この開口４００は、覆い部１００を折り曲げてシート２に貼着することにより密封される。この両者の一体化した状態を図２〜図４に示す。図２の例では、覆い部１００の略全部を貼着部１００ｃとした例を、また図３の例は覆い部１００の一部に剥離の容易化を意図して未貼着部１００ａ、又は剥離用、案内用等として利用できるコーナ部１００ｂを形成した例を示した。図４は図３の背面図である。また図５は図３のイ−イ断面図である。尚、開口４００は認識できるように少し押し開けた状態を示す（以下同じ）。
【００２２】
また図６〜図１２は台紙５と、押し花用の保護シート６（第１保護シート６とする）と、押し花Ａとの関係を説明する。図７〜図９は、第１保護シート６を隅部に設けた構成を、また図１０〜図１２は、第１保護シート６を下側に設けた構成を、それぞれ示す。そして、何れの例においても、第１保護シート６の前側に押し花Ａを設ける。この押し花Ａを設ける方法は、接着材、面ファスナー等の取付け手段を利用して設ける構成も可能である。この例の如く、第１保護シート６の前側に押し花Ａを設ける構成を採用すると、写真８の挿入時に、この写真８を台紙５に添って挿入することで、第１保護シート６の前側に位置する押し花Ａに触れることなく行える。従って、押し花Ａの保護が図れて、例えば、押し花Ａの折れ、損傷等を回避できること、また押し花Ａは、第１保護シート６に隠蔽されることなく直視できること、この直視により、押し花Ａの美観の向上、特徴、和らいだ雰囲気、また豪壮な雰囲気等を満喫できること、又は後述する写真８及び／又は台紙５等の出入れの容易性、簡便性、等が達成される。また写真８及び／又は台紙５等の出入れが、何人も容易、簡便、また迅速化等が図れる。
【００２３】
また図１３〜図１６は台紙５と、乾燥シート用の保護シート７（第２保護シート７とする）と、乾燥シートＢとの関係を説明する。図１３、図１４は、第２保護シート７を隅部に設けた構成を、また図１５、図１６は、第２保護シート７を下側に設けた構成を、それぞれ示す。そして、何れの例においても、台紙５に薄い形態の乾燥シートＢ（通常の乾燥剤、乾燥粒子等）を第２保護シート７（粘着テープ、接着材、シート等）で取付ける。この第２保護シート７は、乾燥シートＢの保護（折れ防止、積層状態の確保）と、挿入・積層等の容易化、又は乾燥シートＢ等の剥離、また台紙５との一体化を介して厚みを薄くすること、等を意図する。
【００２４】
そして、第１保護シート６は、原則として、台紙５の前側に、また第２保護シート７は、原則として、台紙５の後側に、それぞれ設けるが、第１・第２保護シート６、７を同じ側に積層して設けること、また第１・第２保護シート６、７を前述の例とは、逆に設けること等も可能である。尚、台紙５とシート２との間には写真収容部Ｃを構成する。また台紙５には窓孔５００を設け、この窓孔５００を介して写真８を視認できる構成とし、また押し花Ａが写真８の一部を塞ぐ構成、又は塞がない構成、或いは写真８の下半身を塞ぐ構成等の如く、使用、目的、希望により適宜選択できる。し従って、第１・第２保護シート６、７の形態、寸法は、それぞれ対応できる構成とする。
【００２５】
袋部４の開口４００より、順次、押し花Ａ、乾燥シートＢを備えた台紙５と、写真８を挿入した後、覆い部１００を折り曲げ貼着することで、密封体１０が形成される。この密封体１０は、額縁Ｄの額縁本体Ｄ１に装着されるが、上方に透明、半透明等のガラス板Ｄ２を取付けた後に、写真８の表面が前方になるようにして設け、続いて後方に裏板Ｄ３を嵌め込んで、止め片を係止する。これにより、押し花Ａ、写真８等がセットされた密封体１０入り額縁Ｄが形成される。
【００２６】
尚、写真８の入替えは、覆い部１００を剥離し、開口４００を開くことで容易に差替えできる。また押し花Ａ、乾燥シートＢの差替えも同様に自由である。従って、押し花Ａの場合には、例えば、好みの押し花Ａ、又は時季の押し花Ａ、用途に適した押し花Ａの選択と、変色化等した押し花Ａの取替え等に利用する。また乾燥シートＢの場合には、例えば、有効期限に対応して差替える。以上のことから、この密封体１０は、祝儀、葬儀、又は通常等の全ての額縁Ｄに採用できる。また密封体１０と、額縁Ｄは、それぞれ別体に、販売、収容、又は搬送できるので、利便性があり、また重宝すること、商売の容易化、新販路法として有効であること、等の特徴が考えられる。
【００２７】
次に、図２２〜図４２の例について説明する。
【００２８】
図２２〜図２６は、前述の図１〜図６に準ずる。従って、同じ符号と名称を使用する。
【００２９】
そこで、図２７〜図３３は台紙５と、押し花用の保護シート６（第１保護シート６とする）と、押し花Ａとの関係を説明する。図２８〜図３０は、第１保護シート６を隅部に設けた構成を、また図３１〜図３３は、第１保護シート６を下側に設けた構成を、それぞれ示す。そして、何れの例においても、台紙５と第１保護シート６との間に、押し花Ａの収容部６００（第１収容部６００とする）を形成し、この第１収容部６００に、適宜押し花Ａを収容する。この第１保護シート６は、押し花Ａの保護（折れ防止、積層状態の確保）と、挿入・積層等の容易化、又は後述する写真の挿入の容易化、また台紙５の挿入の容易化等を意図する。
【００３０】
また図３４〜図３７は台紙５と、乾燥シート用の保護シート７’（第２’保護シート７’とする、この第２’保護シート７’は粘着テープ、シート等）と、乾燥シートＢとの関係を説明する。図３４、図３５は、第２’保護シート７’を隅部に設けた構成を、また図３６、図３７は、第２’保護シート７’を下側に設けた構成を、それぞれ示す。そして、何れの例においても、台紙５と第２’保護シート７’との間に、収容部７００’（第２’収容部７００’とする）を形成し、この第２’収容部７００’に、薄い形態の乾燥シートＢ（通常の乾燥剤、乾燥粒子等）を収容する。この第２’収容部７００’に押し花Ａを収容する構成を採用すると、写真８の挿入時に、この写真８を台紙５に添って挿入することで、第２’収容部７００’内に位置する押し花Ａに触れることなく行える。従って、押し花Ａの保護が図れて、例えば、押し花Ａの折れ、損傷等を回避できること、また押し花Ａは、第１保護シート６を介して直視できること、この直視により、押し花Ａの間接的な美観の向上、特徴、和らいだ雰囲気、また豪壮な雰囲気等を満喫できること、又は写真８及び／又は台紙５の挿入・積層等の容易化、簡便化等を意図する。
【００３１】
そして、第１保護シート６は、原則として、台紙５の前側に、また第２’保護シート７’は、原則として、台紙５の後側に、それぞれ設けるが、第１・第２’保護シート６、７’を同じ側に積層して設けること、また第１・第２’保護シート６、７’を前述の例とは、逆に設けること等も可能である。尚、台紙５とシート２との間には写真収容部Ｃを構成する。また台紙５には窓孔５００を設け、この窓孔５００を介して写真８を視認できる構成とし、また押し花Ａが写真８の一部を塞ぐ構成、又は塞がない構成、或いは写真８の下半身を塞ぐ構成等の如く、使用、目的、希望により適宜選択できる。従って、第１・第２’保護シート６、７’の形態、寸法は、それぞれ対応できる構成とする。
【００３２】
袋部４の開口４００より、順次、押し花Ａ、乾燥シートＢを備えた台紙５と、写真８を挿入した後、覆い部１００を折り曲げ貼着することで、密封体１０が形成される。この密封体１０は、額縁Ｄの額縁本体Ｄ１に装着されるが、上方に透明、半透明等のガラス板Ｄ２を取付けた後に、写真８の表面が前方になるようにして設け、続いて下方に裏板Ｄ３を嵌め込んで、止め片を係止する。これにより、押し花Ａ、写真８等がセットされた密封体１０入り額縁Ｄが形成される。
【００３３】
尚、写真８の入替えは、覆い部１００を剥離し、開口４００を開くことで容易に差替えできる。また押し花Ａ、乾燥シートＢの差替えも同様に自由である。従って、押し花Ａの場合には、例えば、好みの押し花Ａ、又は時季の押し花Ａ、用途に適した押し花Ａの選択と、変色化等した押し花Ａの取替え等に利用する。また乾燥シートＢの場合には、例えば、有効期限に対応して差替える。以上のことから、この密封体１０は、祝儀、葬儀、又は通常等の全ての額縁Ｄに採用できる。また密封体１０は額縁Ｄとは別体に、販売、収容、又は搬送できるので、利便性があり、また重宝すること、商売の容易化、新販路法として有効であること、等の特徴が考えられる。
【００３４】
【発明の効果】
請求項１の発明は、覆い部を備えたビニール薄板と、シートとをシール材で密着一体化して形成した袋部に、少なくとも一面に押し花を設けた保護シートを有し、透視物を確認できる窓孔を備えた台紙と、台紙の裏面に設けた写真と、台紙に設けた乾燥シートとを挿入して密封体を構成し、密封体を、額縁本体に設けたガラス板と裏板との間に設け、ガラス板の後側にビニール薄板が、また前記シートの後側に前記裏板が、それぞれ設けられる構成とした額縁である。従って、覆い部を備えたビニール薄板と、台紙の厚みに、シート、写真等による厚みとで、全体の厚みを確保した密封体として、その厚みを薄く構成できること、この厚みの薄さを利用し、通常の厚み（前後の厚み）の額縁にも、スムーズな収容と、額縁より裏板が膨れ上がる状態を回避できること、等の特徴を有する。またこの密封体は、額縁とは、別個に、販売、取替え可能な構成とした、額縁メーカとの競業によるトラブル、又は同時販売に限られる等の問題点の解消が図れる実益がある。さらにビニール薄板をガラスに密着できるので、ビニール薄板の通気性を遮断して、密封体の密度の向上に寄与できる特徴がある。
【００３５】
請求項２の発明は、覆い部を備えたビニール薄板と、シートとをシール材で密着一体化して形成した袋部に、少なくとも一面に設けた保護シートを有し、透視物を確認できる窓孔を備えた台紙と、台紙と前記保護シートで構成した押し花用の収容部と、台紙の裏面に設けた写真と、前記台紙に設けた乾燥シートとを挿入して密封体を構成し、密封体を、額縁本体に設けたガラス板と裏板との間に設け、ガラス板の後側にビニール薄板が、またシートの後側に裏板が、それぞれ設けられる構成とした額縁である。従って、請求項１の目的を達成しつつ、他の取扱いが可能な額縁を提供できること、また多様な用途、目的、又は使用価値の向上等が図れること、等の特徴がある。
【００３６】
請求項３の発明は、覆い部を備えたビニール薄板と、シートとをシール材で密着一体化して形成した袋部に、少なくとも一面に押し花を設けた保護シートを有し、透視物を確認できる窓孔を備えた台紙と、台紙の裏面に設けた写真と、台紙に設けた乾燥シートとを挿入して構成した密封体である。従って、密封体に、押し花、写真、絵等を、出入れ（収容又は取出し）可能とした構成を採用することで、この押し花、写真等の差し替えが容易にできること、この差し替えで、所望する押し花、写真等に変更、又は押し花、写真等の変色化、褪色化等による見苦しい状況、及びこの状況を回避して、部屋の美観、良好な雰囲気を確保できること、等の特徴がある。また本発明は、透明のビニール薄板と台紙の厚みに、シート、写真等によって全体の厚みを確保することで、その厚みを薄く構成すること、この厚みの薄さを利用し、通常の厚み（前後の厚み）の額縁にも、スムーズな収容と、額縁より裏板が膨れ上がる状態を回避できること、等の実益を有する。また密封体は、額縁とは、別個に、販売、取替え可能な構成である。従って、額縁メーカとの競業によるトラブル、又は同時販売に限られる等の問題解消が図れる特徴がある。
【００３７】
請求項４の発明は、覆い部を備えたビニール薄板と、一面に押し花用の保護シートを、他面に乾燥シート用の保護シートをそれぞれ設けた窓孔を備えた台紙と、シートとをシール材で密着一体化して袋部とし、袋部に押し花、写真及び乾燥シートを収容して密封体を構成し、台紙と押し花用の保護シートとの間に設けた収容部と、この台紙と乾燥シート用の保護シートとの間に設けた収容部と、台紙とシートとの間に設けた写真収容部とで構成した額縁に使用する押し花・写真内蔵の密封体である。従って、請求項３の目的を達成しつつ、他の取扱いが可能な額縁を提供できること、多様な用途、目的、又は使用価値の向上等が図れること、等の特徴がある。
【００３８】
請求項５の発明は、請求項３又は請求項４の覆い部に、貼着部を設ける構成とした額縁に使用する押し花・写真内蔵の密封体である。従って、覆い部を確実に貼り付け、又は貼り付け解除が図れること、又は密封体の密封効果を達成できること、等の特徴がある。
【図面の簡単な説明】
【図１】本発明の請求項１と請求項３に対する密封体の要部部材を示した斜視図
【図２】本発明の袋部を示した一部欠截の正面図
【図３】図２の袋部の他の例を示した正面図
【図４】図３の背面図
【図５】図３のイ−イ断面図
【図６】本発明の台紙の正面図
【図７】本発明の請求項１と請求項３に対する台紙と第１保護シートの関係を説明する正面図
【図８】図７の使用状態を示す正面図
【図９】図８のロ−ロ断面図
【図１０】本発明の請求項１と請求項３に対する他の台紙と第１保護シートの関係を説明する正面図
【図１１】図１０の使用状態を示す正面図
【図１２】図１１のハ−ハＢ断面図
【図１３】本発明の請求項１と請求項３に対する台紙と第２保護シートの関係を説明する背面図
【図１４】図１３のニ−ニ断面図
【図１５】本発明の請求項１と請求項３に対する他の台紙と第２保護シートの関係を説明する背面図
【図１６】図１５のホ−ホ断面図
【図１７】本発明の請求項１と請求項３に対する袋部と台紙との関係を説明する正面図
【図１８】本発明の請求項１と請求項３に対する写真、押し花等入り密封体を説明する一部欠截の正面図
【図１９】図１８の背面図
【図２０】本発明の請求項１と請求項３に対する額縁と写真、押し花等入り密封体との関係を説明する分解斜視図
【図２１】本発明の請求項１と請求項３に対する額縁と写真、押し花等入り密封体との関係を説明する拡大要部断面図
【図２２】本発明の請求項２と請求項４に対する密封体の要部部材を示した斜視図
【図２３】本発明の袋部を示した一部欠截の正面図
【図２４】図２３の袋部の他の例を示した正面図
【図２５】図２３の背面図
【図２６】図２４のイ−イ断面図
【図２７】本発明の台紙の正面図
【図２８】本発明の請求項２と請求項４に対する台紙と第１保護シートの関係を説明する正面図
【図２９】図２８の使用状態を示す正面図
【図３０】図２９のロ−ロ断面図
【図３１】本発明の請求項２と請求項４に対する他の台紙と第１保護シートの関係を説明する正面図
【図３２】図３１の使用状態を示す正面図
【図３３】図３３のハ−ハＢ断面図
【図３４】本発明の請求項２と請求項４に対する台紙と第２保護シートの関係を説明する背面図
【図３５】図３４のニ−ニ断面図
【図３６】本発明の請求項２と請求項４に対する他の台紙と第２保護シートの関係を説明する背面図
【図３７】図３６のホ−ホ断面図
【図３８】本発明の請求項２と請求項４に対する袋部と台紙との関係を説明する正面図
【図３９】本発明の請求項２と請求項４に対する写真、押し花等入り密封体を説明する一部欠截の正面図
【図４０】図３９の背面図
【図４１】本発明の請求項２と請求項４に対する額縁と写真、押し花等入り密封体との関係を説明する分解斜視図
【図４２】本発明の請求項２と請求項４に対する額縁と写真、押し花等入り密封体との関係を説明する拡大要部断面図
【符号の説明】
１        ビニール薄板
１００      覆い部
１００ａ      未貼着部
１００ｂ      コーナ部
１００ｃ      貼着部
２        シート
３        シール材
４        袋部
４００      開口
５        台紙
５００        窓孔
６        第１保護シート
６００      第１収容部
７        第２保護シート
７’        第２’保護シート
７００’      第２’収容部
８        写真
１０        密封体
Ａ        押し花
Ｂ        乾燥シート
Ｃ        写真収容部
Ｄ        額縁
Ｄ１        額縁本体
Ｄ２        ガラス板
Ｄ３        裏板
【図１】
2004242689.tif 000003
【図２】
2004242689.tif 000004
【図３】
2004242689.tif 000005
【図４】
2004242689.tif 000006
【図５】
2004242689.tif 000007
【図６】
2004242689.tif 000008
【図７】
2004242689.tif 000009
【図８】
2004242689.tif 000010
【図９】
2004242689.tif 000011
【図１０】
2004242689.tif 000012
【図１１】
2004242689.tif 000013
【図１２】
2004242689.tif 000014
【図１３】
2004242689.tif 000015
【図１４】
2004242689.tif 000016
【図１５】
2004242689.tif 000017
【図１６】
2004242689.tif 000018
【図１７】
2004242689.tif 000019
【図１８】
2004242689.tif 000020
【図１９】
2004242689.tif 000021
【図２０】
2004242689.tif 000022
【図２１】
2004242689.tif 000023
【図２２】
2004242689.tif 000024
【図２３】
2004242689.tif 000025
【図２４】
2004242689.tif 000026
【図２５】
2004242689.tif 000027
【図２６】
2004242689.tif 000028
【図２７】
2004242689.tif 000029
【図２８】
2004242689.tif 000030
【図２９】
2004242689.tif 000031
【図３０】
2004242689.tif 000032
【図３１】
2004242689.tif 000033
【図３２】
2004242689.tif 000034
【図３３】
2004242689.tif 000035
【図３４】
2004242689.tif 000036
【図３５】
2004242689.tif 000037
【図３６】
2004242689.tif 000038
【図３７】
2004242689.tif 000039
【図３８】
2004242689.tif 000040
【図３９】
2004242689.tif 000041
【図４０】
2004242689.tif 000042
【図４１】
2004242689.tif 000043
【図４２】
2004242689.tif 000044